(57)【要約】【課題】作業者の作業中に他の作業者が作業を行う割り込み作業の際に手間が掛らず、作業を円滑に進めることができるだけでなく、生産ラインの一部として管理上有用な作業者情報を記憶し、出力することができる物品検査装置を提供すること。【解決手段】搬送部３によって搬送される被検査物Ｗの品質データを取得し、予め設定された基準値と品質データとを比較して被検査物Ｗの品質の良否を検査する重量選別機１において、操作部１４と、操作部１４を操作する担当者の作業者名と担当者に加えて操作を行うことができる管理者の作業者名とを予め設定して記憶する記憶部７とを備えたことを特徴とする。【選択図】図２
2014142772.tif 000002
【特許請求の範囲】
【請求項１】
搬送手段（３）によって搬送される被検査物（Ｗ）の品質データを取得し、予め設定された基準値と前記品質データとを比較して前記被検査物の品質の良否を検査する物品検査装置において、
操作手段（１４）と、
前記操作手段を操作する第１作業者の作業者名と前記第１作業者に加えて操作するための第２作業者の作業者名とを予め設定して記憶する記憶手段（７）とを備えたことを特徴とする物品検査装置。
【請求項２】
前記記憶手段は、前記第２作業者が前記第１作業者に優先して作業を行うことができるように各作業者の優先順位を記憶していることを特徴とする請求項１に記載の物品検査装置。
【請求項３】
前記第１作業者の作業者名と前記第２作業者の作業者名とを表示する表示手段（６）を備えたことを特徴とする請求項１または請求項２に記載の物品検査装置。
【請求項４】
前記第１作業者の作業中に割り込んで作業を行おうとする前記第２作業者が、前記第１作業者に優先して作業を行うことができる優先作業者であるか否かを識別する作業者識別手段（８）を備え、
前記表示手段は、前記作業者識別手段により前記第２作業者が前記優先作業者であることが識別されたとき、前記第２作業者の作業者名を前記第１作業者の作業者名と同時に表示する一方、前記作業者識別手段により前記第２作業者が前記優先作業者でないことが識別されたとき、前記第１作業者の作業者名に代えて前記第２作業者の作業者名を表示することを特徴とする請求項３に記載の物品検査装置。
【請求項５】
前記表示手段は、前記第１作業者の操作のための情報を表示する第１表示画面と、前記第２作業者の操作のための情報を表示する第２表示画面とを所定の表示形態で表示することを特徴とする請求項３または請求項４に記載の物品検査装置。
【請求項６】
前記表示手段は、前記第１表示画面および前記第２表示画面のいずれか一方が、いずれか他方の表示画面の一部を覆うようにして表示することを特徴とする請求項５に記載の物品検査装置。
【請求項７】
前記表示手段は、前記第２表示画面を表示した状態で、前記操作手段からの所定操作入力がなく所定時間が経過したときに前記第１表示画面および前記第２表示画面の表示状態を変えて表示することを特徴とする請求項５に記載の物品検査装置。
【請求項８】
前記表示手段は、複数のモニタからなり、前記モニタのうち少なくとも１つが前記第１表示画面および前記第２表示画面を表示可能であることを特徴とする請求項３ないし請求項７のいずれか１つの請求項に記載の物品検査装置。
【発明の詳細な説明】
【技術分野】
【０００１】
本発明は、例えば、生肉、魚、加工食品、医薬などの被検査物の品質を検査する物品検査装置に関し、特に、作業者が簡単に操作できるようにした物品検査装置に関する。
【背景技術】
【０００２】
従来、被検査物の品質を検査する物品検査装置として、重量選別機、Ｘ線異物検出装置、金属検出装置などの検査装置が知られている。
このような従来の重量選別機は、搬送される被検査物の質量を測定し、得られた測定値が基準範囲内にあるか否かを判定し、基準範囲内の良品とそれ以外の不良品とを選別している。また、従来のＸ線異物検出装置は、搬送される被検査物にＸ線を照射し、この照射したＸ線の透過量から被検査物中に異物が混入しているか否かを検出している。また、従来の金属検出機は、搬送ラインに交番磁界を発生させておき、交番磁界中を各品種の被検査物を通過させ、磁界を通過しているときの検波出力から金属が混入しているか否かを検出している。
【０００３】
この種の物品検査装置に対して、多くの作業者が作業をすることができるので、作業経験の少ない作業者により不良品となった被検査物が良品の搬送路に混入してしまうことを防止したり、悪意ある作業者が、搬送路を覆うカバーを開けて被検査物を不正に工場の外に持ち出してしまうことを防止したりするものが提案されている（例えば、特許文献１参照）。
【先行技術文献】
【特許文献】
【０００４】
【特許文献１】特開２００８−２９６２０２号公報
【発明の概要】
【発明が解決しようとする課題】
【０００５】
しかしながら、特許文献１に記載の物品検査装置においては、不良品の良品中への混入や、被検査物の不正な持ち出しを防止するなど、多くの作業者が作業する生産ラインの下で不良品を適切に管理することはできるものの、作業者に対する作業性の考慮が十分とは言えず、効率的な作業が促進できないという課題があった。
この物品検査装置に対して、多くの作業者が作業をすることができるので、例えば、複数の作業者が物品検査装置で作業をしようとするときに、面倒な作業が生じてしまうことがある。
【０００６】
具体的には、作業者が物品検査装置にログインし、被検査物の品質を検査している最中に、物品検査装置の点検などの管理作業をする管理者が割り込んで作業をする場合に面倒な作業が生じてしまう。
このような管理者が割り込んで作業をする場合、作業者が一旦物品検査装置からログアウトし、その後に割り込んで作業をしようとする管理者がログインする必要があり、ログアウトおよびログインの作業が面倒となってしまうという問題があった。
【０００７】
また、管理者の作業が終了すると、すなわち割り込み作業が終了すると、管理者がログアウトすることになるが、その際に、割り込まれた元の担当者が再度ログインする必要があり、ログインの作業が面倒となってしまう。元の担当者がログアウトしているので、元の担当者が誰であるか確認に手間が掛ってしまい、特に、元の担当者が不在となっている場合など、元の担当者に戻すことが容易でないことがあるという問題があった。
【０００８】
本発明は、上述のような従来の問題を解決するためになされたもので、作業者の作業中に他の作業者が作業を行う割り込み作業の際に手間が掛らず、作業を円滑に進めることができるだけでなく、生産ラインの一部として管理上有用な作業者情報を記憶し、出力することができる物品検査装置を提供することを課題とする。
【課題を解決するための手段】
【０００９】
本発明に係る物品検査装置においては、上記課題を解決するため、（１）搬送手段によって搬送される被検査物の品質データを取得し、予め設定された基準値と前記品質データとを比較して前記被検査物の品質の良否を検査する物品検査装置において、操作手段と、前記操作手段を操作する第１作業者の作業者名と前記第１作業者に加えて操作するための第２作業者の作業者名とを予め設定して記憶する記憶手段とにより構成する。
【００１０】
以上の構成により、本発明に係る物品検査装置においては、操作手段を操作する第１作業者の作業者名と第１作業者に加えて操作するための第２作業者の作業者名とを予め設定し、記憶手段に記憶することができるので、物品検査装置にログイン済の複数の作業者の作業者名を、例えば他の管理コンピュータ、物品検査装置の近傍に設置された管理用モニタなどの周辺機器に対して出力することが可能となる。このような複数の作業者名の周辺機器に対する出力により、生産工場や生産ラインの管理面における必要性や重要性に応じて、様々な管理形態での管理を実現することができるようになる。
なお、本発明に係る物品検査装置においては、被検査物の検査に関する行動全般を「作業」とし、その作業にあたる者を「作業者」として示す。他方、被検査物の検査に関する作業のうち、特に物品検査装置の取扱いに関する行動を「操作」として示すが、物品検査装置を操作する者を、「操作する作業者」ということがある。
【００１１】
また、本発明に係る物品検査装置においては、（２）前記記憶手段は、前記第２作業者が前記第１作業者に優先して作業を行うことができるように各作業者の優先順位を記憶するよう構成する。
【００１２】
以上の構成により、本発明に係る物品検査装置においては、記憶手段より第２作業者が第１作業者に優先して作業を行うことができるように各作業者の優先順位が記憶されるので、設定された優先順位に対応する担当者、責任者、管理者といった役割や立場を示すアクセスレベルを物品検査装置の制御部、外部のコンピュータ、生産管理用モニタなどに対して、作業者名と関連付けて出力することが可能となる。このような作業者名と関連付けたアクセスレベルの出力により、管理上の必要性や重要性に応じて、さらに多様な管理形態での管理を実現することができるようになる。
【００１３】
また、本発明に係る物品検査装置においては、（３）前記第１作業者の作業者名と前記第２作業者の作業者名とを表示する表示手段を備えるよう構成してもよい。
【００１４】
以上の構成により、本発明に係る物品検査装置においては、第１作業者の作業者名と第２作業者の作業者名とを表示することができるので、物品検査装置にログイン済みの複数の作業者の作業者名を、物品検査装置を操作している作業者自身が容易に確認できるようになり、例えば、作業の引継ぎや連絡を円滑に進めることができる。
【００１５】
また、本発明に係る物品検査装置においては、（４）前記第１作業者の作業中に割り込んで作業を行おうとする前記第２作業者が、前記第１作業者に優先して作業を行うことができる優先作業者であるか否かを識別する作業者識別手段を備え、前記表示手段は、前記作業者識別手段により前記第２作業者が前記優先作業者であることが識別されたとき、前記第２作業者の作業者名を前記第１作業者の作業者名と同時に表示する一方、前記作業者識別手段により前記第２作業者が前記優先作業者でないことが識別されたとき、前記第１作業者の作業者名に代えて前記第２作業者の作業者名を表示するよう構成してもよい。
【００１６】
以上の構成により、本発明に係る物品検査装置においては、第１作業者の作業中に割り込んで作業を行おうとする第２作業者が、優先作業者であるか否かが識別されるので、第２作業者の行う割り込み作業の際に手間が掛らず、作業を円滑に進めることができる。すなわち、作業者識別手段により第２作業者が優先作業者であることが識別されたときは、第２作業者の作業者名が第１作業者の作業者名と同時に表示されるので、第２作業者自身が優先作業者であることを認識することができる。また、第２作業者が優先作業者でないことが識別されたときは、第１作業者の作業者名に代えて第２作業者の作業者名が表示されるので、第２作業者自身が優先作業者ではなく、第１作業者から第２作業者に交代したことを認識することができる。
【００１７】
また、本発明に係る物品検査装置においては、（５）前記表示手段は、前記第１作業者の操作のための情報を表示する第１表示画面と、前記第２作業者の操作のための情報を表示する第２表示画面とを所定の表示形態で表示するよう構成してもよい。
【００１８】
以上の構成により、本発明に係る物品検査装置においては、第１表示画面と第２表示画面とが所定の表示形態で表示されるので、アクセスレベルの異なる複数の作業者が物品検査装置にログインしていても、各作業者のアクセスレベルに応じた操作や管理を行うための情報を適切に表示することができる。その結果、作業者の誤操作を少なくすることができ、作業者の操作の煩わしさをなくすことができる。
【００１９】
また、本発明に係る物品検査装置においては、（６）前記表示手段は、前記第１表示画面および前記第２表示画面のいずれか一方が、いずれか他方の表示画面の一部を覆うようにして表示するよう構成してもよい。
【００２０】
以上の構成により、本発明に係る物品検査装置においては、第１表示画面および第２表示画面のいずれか一方が、他方の表示画面の一部を覆うようにして表示されるので、各作業者のアクセスレベルに応じた複数の表示画面を、サイズの小さなモニタであっても視認性を損なうことなく表示することができる。
【００２１】
また、本発明に係る物品検査装置においては、（７）前記表示手段は、前記第２表示画面を表示した状態で、前記操作手段からの所定操作入力がなく所定時間が経過したときに前記第１表示画面および前記第２表示画面の表示状態を変えて表示するよう構成してもよい。
【００２２】
以上の構成により、本発明に係る物品検査装置においては、第２表示画面を表示した状態で、所定操作入力がなく所定時間経過により第１表示画面および第２表示画面の表示状態が変わるので、管理者の操作終了時のログアウト忘れなどで管理者画面が表示された状態が長時間放置されることがなくなり、管理面での安全性が高まる。
【００２３】
また、本発明に係る物品検査装置においては、（８）前記表示手段は、複数のモニタからなり、前記モニタのうち少なくとも１つが前記第１表示画面および前記第２表示画面を表示可能とするよう構成してもよい。
【００２４】
以上の構成により、本発明に係る物品検査装置においては、複数のモニタのうち少なくとも１つが第１表示画面および第２表示画面を表示できるので、複数の作業者のアクセスレベルに応じた表示画面を適切な操作位置に複数配置する場合にも、各操作位置において複数の作業者がログインしている状態を表示することができる。
【発明の効果】
【００２５】
本発明に係る物品検査装置によれば、作業者の作業中に他の作業者が作業を行う割り込み作業の際に手間が掛らず、作業を円滑に進めることができるだけでなく、生産ラインの一部として管理上有用な作業者情報を記憶し、出力することができる物品検査装置を提供することができる。
【図面の簡単な説明】
【００２６】
【図１】実施形態に係る重量選別機を示す斜視図である。
【図２】実施形態に係る重量選別機を示すブロック図である。
【図３】実施形態に係る重量選別機の表示部における作業者ＩＤのログイン画面の表示例を示す平面図である。
【図４】実施形態に係る重量選別機の表示部のシングルモニタの表示を示す平面図であり、（ａ）は、担当者向け画面の表示例を示し、（ｂ）は、管理者向け画面の表示例を示す。
【図５】実施形態に係る重量選別機の表示部のシングルモニタの表示を示す平面図であり、（ａ）は、担当者向け画面の表示例を示し、（ｂ）は、管理者向け画面の表示例を示す。
【図６】実施形態に係る重量選別機の表示部のシングルモニタの表示を示す平面図であり、（ａ）は、担当者向け画面の表示例を示し、（ｂ）は、管理者向け画面の表示例を示す。
【図７】実施形態に係る重量選別機の表示部の表示を示す平面図であり、（ａ）は、ユーザーリストの表示例を示し、（ｂ）は、管理認証のログイン画面の表示例を示す。
【図８】実施形態に係る重量選別機の表示部のデュアルモニタの表示を示す平面図であり、（ａ）は、担当者１向け画面および担当者２向け画面の表示例を示し、（ｂ）は、担当者１向け画面および管理者向け画面の表示例を示す。
【図９】実施形態に係る重量選別機の表示部のシングルモニタの表示を示す平面図であり、（ａ）は、担当者がログイン中の画面の表示例を示し、（ｂ）は、管理者が割り込みログイン中の画面の表示例を示し、（ｃ）は、管理者がログアウトした際の画面の表示例を示す。
【図１０】実施形態に係る重量選別機における作業者の操作および表示部への表示の一例を示すフローチャートである。
【図１１】実施形態に係る重量選別機における作業者の操作および表示部への表示の一例を示すフローチャートである。
【発明を実施するための形態】
【００２７】
以下、本発明に係る物品検査装置の実施形態について図面を参照して説明する。
（実施形態）
図１〜図１１は、本発明に係る物品検査装置を重量選別機１に適用した実施形態の一例を示している。
なお、本発明に係る物品検査装置は、実施形態に係る重量選別機１だけでなく、重量選別機１以外の他の装置で構成されていてもよい。例えば、搬送ラインに交番磁界を発生させておき、交番磁界中を各品種の被検査物を通過させ、磁界を通過しているときの検波出力から金属が混入しているか否かを検出する金属検出機で構成されていてもよい。また、搬送される被検査物にＸ線を照射し、この照射したＸ線の透過量から被検査物中に異物が混入しているか否かを検出するＸ線異物検出装置で構成されていてもよい。
【００２８】
図１、図２に示すように、重量選別機１は、装置本体２と、搬送手段としての搬送部３と、投受光部４と、選別部５とにより構成されている。
【００２９】
重量選別機１は、生産ラインの一部を構成するベルトコンベアＢＣの後端部に設置され、所定間隔をおいて矢印Ａ方向に順次搬送されてくる被検査物Ｗの質量を測定するよう構成されている。そして、測定により得られた測定値を予め設定された上限値および下限値で規定される基準範囲内にあるか否かで判定し、基準範囲内のものを良品とし、それ以外のものを不良品として選別するよう構成されている。
【００３０】
装置本体２は、表示手段としての表示部６と、記憶手段としての記憶部７と、作業者識別手段としての識別部８と、電源部９と、搬送制御部１１と、重量選別部１２と、重量選別機１の各種操作や各種設定を入力する操作手段としての操作部１４と、これらの各部を収納する収納筐体１６とを含んで構成される。
【００３１】
搬送部３は、図１に示すように、助走コンベア３ａおよび秤量コンベア３ｂにより構成される。助走コンベア３ａは２つのローラ３ｃ、３ｄとこれらのローラに巻き付けられている無端状の搬送ベルト３ｅとを含んで構成される。秤量コンベア３ｂは２つのローラ３ｆ、３ｇとこれらのローラに巻き付けられている無端状の搬送ベルト３ｈとを含んで構成される。
搬送部３は、ベルトコンベアＢＣから矢印Ａ方向に流れてくる包装された生肉、魚、加工食品、医薬品などの各種の被検査物Ｗを搬送するようになっている。搬送されてくる被検査物Ｗは助走コンベア３ａにより、姿勢などが安定状態になり、秤量コンベア３ｂにより荷重センサに載荷され、さらに選別部５に搬送されるようになっている。
【００３２】
表示部６は、図１に示すように、装置本体２の搬送部３側の上端部に設けられており、例えば、液晶ディスプレイなどのタッチパネルで構成されていて、操作部１４としても機能する。すなわち、このタッチパネルは、表示機能と入力機能の２つの機能を備えており、表示部６の外部から入力された画像情報を液晶ディスプレイの画面に表示するとともに、作業者がその画面に表示された文字や絵などの点または領域に手で触れた際に、触れられた画面位置の情報を感知して外部へ情報信号として出力するよう構成されている。
【００３３】
表示部６においては、重量選別機１に電源が投入された後、操作部１４での作業者の操作に応じて種々の表示画面が表示される。この表示部６は、表示画面が単一のシングルモニタで構成されているが、後述するデュアルモニタで構成するようにしてもよい。
表示部６および操作部１４においては、例えば、重量選別機１の電源投入後、重量選別機１を操作する作業者を認証するためのログイン画面を表示するようになっている。
このログイン画面には、作業者ＩＤ、パスワード入力を要求するメッセージが表示され、入力された内容は記憶部７に記憶している作業者情報と照合される。表示部６をタッチパネルで構成した場合には、表示部６には、図３に示すように、作業者ＩＤおよびパスワードを入力するための入力欄および各入力欄に数字や文字を入力するためのテンキーやキーボードが表示される。
【００３４】
また、適正なパスワードが入力されると、記憶部７において、入力された作業者ＩＤと関連付けられたログインフラグをログイン済みに更新するとともに、例えば、図４（ａ）、図５（ａ）、図６（ａ）に示すように、画面の右上部分にログイン済みの作業者の名前「山田○子」と、その下側に「山田○子」が「担当者」であることが示される第１表示画面としての担当者向け画面が表示部６に表示される。
【００３５】
また、担当者の検査の作業中に、重量選別機１に対する保守、点検などの管理作業が、担当者よりも権限の高い管理者により割り込んで管理者の作業がなされる、いわゆる割り込みがなされることがある。この場合、記憶部７において、割り込んだ作業者ＩＤと関連付けられたログインフラグをログイン済みに更新するとともに、表示部６には、作業中の担当者と割り込んだ管理者の各作業者の名前、すなわち作業者名が表示される。また、担当者が被検査物Ｗの検査の作業中に、同じ権限の他の担当者が割り込もうとした場合に、作業者の交代とみなして先の担当者を強制的にログアウトするようにして、先の担当者のログアウト操作を省略し、担当者同士の交代を円滑にできるようにしてもよい。
なお、検査作業中の担当者は本発明における第１作業者に対応し、割り込んで作業を行う管理者または割り込もうとした他の担当者は本発明における第２作業者に対応している。
【００３６】
表示部６に表示されるログイン済の作業者名は、ユーザリストから読み出される。
このユーザーリストは、予め設定され記憶部７に記憶されたリストで、図７（ａ）に示すように、作業者ＩＤ、作業者名、前述のように担当者、責任者、管理者といった役割や立場を示すアクセスレベル、ログインフラグという項目が含まれる。作業者ＩＤは２、５、７、１１のように重複しない番号が割り当てられている。
作業者名は、入力された作業者の名前を示している。アクセスレベルとして、具体的には、「担当者」、「管理者」が設定されている。ログインフラグは、図示しないが、例えば、既にログイン済みで同一作業者のログインができないような表示ができるように、各作業者が物品検査装置にログインしているか否かを示している。また、このログインフラグは、ログイン状態によって、例えば、「済」、「未」とが逐次書き換えられるようになっている。ログイン済みの作業者名は、ログインフラグが「済」となっている作業者の作業者名を記憶部７から読み出すことで表示することができる。
【００３７】
このアクセスレベルは、言い換えると、重量選別機１を操作可能な範囲をレベルで表したグループ名で、各作業者が担当者や管理者といったグループのいずれに属するかを示している。
担当者は、例えば、運転停止、品種切替および動作確認などの権限による操作項目や、誰でも可能な種々の操作が含まれる一般的な操作項目を実行することができる者のグループを示している。
【００３８】
管理者は、例えば、運転停止、品種切替、動作確認、検出感度変更、品種登録および保守などの権限による操作項目や、誰でも可能な種々の操作が含まれる一般的な操作項目を実行することができる者のグループを示している。
したがって、管理者は担当者よりもより高い操作権限を有した優先作業者であり、担当者の検査の作業中に、割り込んで管理者の作業を行うことができる。
【００３９】
管理者が、担当者のログイン状態で割り込みログインをするためには、操作部１４からログイン操作を行う必要がある。例えば、タッチパネルの作業者名が表示されている部分をタッチすると、ユーザリストに設定されている作業者名の一覧がボタン表示される。
この中から自己の作業者名をタッチすると、パスワード入力欄とパスワード入力のためのテンキーやキーボードが表示される。そして、適正なパスワードが入力されると、例えば、図４（ｂ）、図５（ｂ）、図６（ｂ）に示すように、第２表示画面としての管理者向け画面が表示部６に表示される。
【００４０】
図４（ｂ）に示す管理者向け画面には、画面の右上部分に管理者の名前「佐藤○雄」が担当者の名前「山田○子」の横に並んで表示される。この表示により、担当者「山田○子」の作業中に管理者「佐藤○雄」が割り込んで作業をしていることが把握可能となる。
この管理者向け画面を、図５（ｂ）に示すように、画面の右上部分の名前「山田○子」の横に名前「佐藤○雄」を表示し、各下側に「担当者」および「管理者」を示す形態で表示するようにしてもよい。また、管理者向け画面を、図６（ｂ）に示すように、「担当者」「山田○子」の担当者向け画面の上に、表示位置を少し移動して、すなわち、担当者向け画面の一部を覆うようにして「管理者」「佐藤○雄」の表示画面を重ねて示す形態で表示してもよい。
【００４１】
また、検査作業中の担当者の担当者向け画面を、タッチパネル１からなるモニタ１、タッチパネル２からなるモニタ２を備えたデュアルモニタで構成される表示部６の表示画面に表示するようにしてもよい。
例えば、図８（ａ）に示すように、重量選別機１を操作する担当者１向け画面をタッチパネル１に表示し、担当者２向け画面をタッチパネル２に表示して、同じ操作項目を実行する権限をもつ担当者１と担当者２がそれぞれのタッチパネルで操作して作業をしていることを表示するようにしてもよい。
また、この状態で、タッチパネル２から管理者が割り込んで作業を行う場合、図８（ｂ）に示すように、タッチパネル１には、担当者１向け画面をそのまま表示し、タッチパネル２には、管理者向け画面を表示して、管理者が担当者２に割り込んで作業をしていることを表示するようにしてもよい。この場合、例えば、タッチパネル２側で管理者が割り込みログインしたとき、タッチパネル２側に担当者２と管理者の作業者名を表示し、割り込み中であることが、表示されるようになっているとよい。
【００４２】
また、図８（ａ）の状態で、タッチパネル２から他の担当者である担当者３が作業を行う場合、担当者３が担当者２より優先して作業を行うことができる優先作業者であるときは、管理者と同様に、担当者２と担当者３の作業者名を表示した担当者３向け画面を表示し、担当者３が担当者２より優先して作業を行うことができる優先作業者でないときは、担当者２に代わって担当者３の作業者名を表示した担当者３向け画面を表示するようになっているとよい。
【００４３】
なお、ここで、担当者３が優先作業者であるときは、担当者は、例えば、運転停止、品種切替および動作確認などの権限による操作項目を行うことができる通常の担当者であるのに対し、担当者３は、運転停止、品種切替および動作確認に加えて検出感度変更などの追加で設定された操作項目を実行することができる担当者であることを示し、通常の担当者よりも権限が高く、通常の担当者の作業中に割り込んで作業をすることができる。
【００４４】
また、担当者が重量選別機１にログインして表示される表示部６の担当者向け画面を、図９（ａ）の中央部に担当者のテーブルで示すようにしてもよい。このテーブルには、「作業者ＩＤ」、作業中の担当者の「名前」、担当者のログインした日時が示される「ログイン時」、担当者のアクセスレベルが数字で示される「レベル」が表示されるので、担当者の情報を一覧することができる。
【００４５】
また、管理者が重量選別機１に割り込みログインして表示される表示部６の管理者向け画面を、図９（ｂ）の中央部に管理者のテーブルで示すようにしてもよい。このテーブルには、「作業者ＩＤ」、作業中の担当者および割り込みした管理者の「名前」、担当者および管理者のログインした日時が示される「ログイン時」、担当者および管理者のアクセスレベルが数字で示される「レベル」が表示されるので、担当者および管理者の情報を一覧することができる。
また、管理者の重量選別機１における割り込み作業が終了し、管理者がログアウトした際に、図９（ｃ）に示すように、図９（ａ）の担当者向け画面の表示に復帰させるようにしてもよい。
【００４６】
この表示部６においては、被検査物Ｗの質量などの計量値を含む検査結果が表示されるとともに、他の必要な表示がなされる。例えば、被検査物Ｗの品種、測定範囲、測定速度、測定精度、検出感度、選択項目の待受け表示、重量選別機１に異常が発生した場合の警告や、点検要求などが必要に応じて表示される。
【００４７】
記憶部７は、書き換え可能なメモリとしての記録媒体の記録領域で構成され、前述のユーザーリストの他にも、重量選別機１の制御に必要な各種パラメータや、被検査物Ｗの検査に関する情報が記憶されている。記憶部７に記憶されている情報には、操作部１４からの操作時に更新された情報、被査物Ｗの検査中に逐次更新された情報、あるいは読み出し専用で書き換えのできない装置固有の情報が、それぞれ記憶されており、必要に応じて読み出されて活用されるようになっている。また、記憶部７は、操作部１４を操作する作業者（第１作業者）に加えて他の作業者（第２作業者）が操作するための情報として、検査作業中の担当者に加えて操作することができる管理者等の優先作業者を識別するためのアクセスレベルが作業者名、作業者ＩＤとともに予め設定され、記憶するよう構成されている。また、記憶部７は、アクセスレベルが示す役割や立場に応じたアクセスレベルの優先順位を記憶するよう構成されている。
【００４８】
識別部８は、図３および図７（ｂ）に示すパスワードが入力されたとき、図７（ａ）に示されるユーザリストの管理者選択の画面タッチによる管理者名が入力されたとき、入力された情報が、記憶部７に記憶されている情報と照合して適切な情報が入力されたか否かを識別するよう構成されている。なお、識別部８は、タッチパネルへのタッチ操作により入力された情報に限定されず、操作部１４としてテンキーやキーボードなどの入力手段から入力された情報や、認証カードなどの他の認証システムにより入力された情報に基づいて識別するようにしてもよい。
この識別部８は、担当者の作業中に割り込んで作業を行おうとする他の担当者が、作業中の担当者に優先して作業を行うことができる優先作業者であるか否かを識別するよう構成されている。識別部８による識別結果は、必要に応じて表示部６に出力され、表示部６のタッチパネルに表示されるようになっている。
【００４９】
電源部９は、収納筐体１６に装着され、重量選別機１の各構成要素に電源を供給する公知の電源ユニットで構成されている。
【００５０】
投受光部４は、一対の投光部４ａおよび受光部４ｂにより構成され、助走コンベア３ａと秤量コンベア３ｂとの間に配置されている。例えば、投光部４ａは搬送ベルト３ｈの装置本体２側に位置し、受光部４ｂは搬送ベルト３ｈの他の側面で投光部４ａに対向するように位置し、被検査物Ｗが投光部４ａおよび受光部４ｂの間を通過すると被検査物Ｗにより受光部４ｂが遮光され、被検査物Ｗが搬入されたことを検出するようになっている。
また、検出信号を後述する質量検出セクション１２ｂおよび荷重センサ１２ａに出力するようになっている。
【００５１】
選別部５は、選別機構部５ａと、搬送コンベア５ｂとを含んで構成される。搬送コンベア５ｂは、ローラ５ｃおよびローラ５ｃに対向して配置される図示しないローラと、これらのローラに巻き付けられている無端状の搬送ベルト５ｄとを含んで構成される。
選別機構部５ａは、例えば、押し出し型の選別機構により構成されている。選別機構部５ａは、良品と不良品とを選別できるものであればよく、フリッパ機構、エアジェット機構およびドロップアウト機構などのいずれかの選別機構で構成してもよい。
選別機構部５ａは、上流の秤量コンベア３ｂから搬送される被検査物Ｗを搬送コンベア５ｂで矢印Ｂ方向に搬送している間に、後述する判定セクション１２ｄの判定結果に基づいて被検査物Ｗに対して搬送ベルト５ｄの側面方向への押し出しやジェットエアーの吹き付けを行うようになっている。この選別機構部５ａは、判定結果が不良品の被検査物Ｗを搬送ベルト５ｄ上から排出し、判定結果が良品の被検査物Ｗと区別することにより選別を行っている。
【００５２】
搬送制御部１１は、図２に示すように、駆動モータ１１ａと、制御セクション１１ｂとを含んで構成される。制御セクション１１ｂは、検査結果に基づいて駆動モータ１１ａの駆動速度を調節できるようになっている。
【００５３】
重量選別部１２は、品質データを取得するための荷重センサ１２ａと、質量検出セクション１２ｂと、記録セクション１２ｃと、品質の良否を判定する判定セクション１２ｄとを含んで構成される。
荷重センサ１２ａは、電磁平衡機構、差動トランス機構および歪ゲージ機構などのいずれかのはかり機構で構成される。電磁平衡機構では、天びんの片側に被検査物Ｗ、もう片側におもりとなる分銅を載せる代わりに、電気の力、すなわち電磁力を加えて、天びんを釣り合わせるようになっている。被検査物Ｗの重さにより、釣り合わせるのに必要な電気の量が変化することを利用し、天びんが釣り合ったとき、荷重センサ１２ａに生ずる電流を検知し、この電流の大きさに応じた信号を出力するようになっている。
【００５４】
電磁力は、投受光部４によって被検査物Ｗの秤量コンベア３ｂへの搬入が検知されてから所定時間ｔが経過したタイミングで加えられる。所定時間ｔは被検査物Ｗが秤量コンベア３ｂに搬入を開始してから秤量コンベア３ｂに完全に乗り移り、さらに荷重センサ１２ａから出力された信号が安定するまでに必要な時間で設定されている。例えば、所定時間ｔは、操作部１４からの入力により設定された秤量コンベア３ｂの搬送速度（ｍ／ｍｉｎ）および被検査物Ｗの搬送方向である矢印Ｂ方向に沿った長さ（ｍｍ）などの基準に基づいて決定される。
【００５５】
出力された信号は、質量検出セクション１２ｂに入力され、質量検出セクション１２ｂにおいて被検査物Ｗの質量が検出され、検出された質量は、質量信号として判定セクション１２ｄに出力される。
【００５６】
記録セクション１２ｃは、記録媒体の記録領域で構成され、被検査物Ｗの品種に対応した被検査物Ｗの選別に必要な情報（例えば、質量の上限基準値および下限基準値、助走コンベア３ａおよび秤量コンベア３ｂの各速度（ｍ／ｓ）および搬送方向に沿った長さ（ｍｍ）、被検査物Ｗの搬送方向に沿った長さ（ｍｍ）秤量コンベア３ｂの搬出端から選別部５までの距離、被検査物Ｗの搬入間隔（ｍｍ）など）や荷重センサ１２ａによって取得された被検査物Ｗの品質データ、統計データ、アラーム来歴および点検来歴などのデータを記録するようになっている。なお、このようなデータは、重量選別機１が設置される生産ラインの稼働状況や生産される物品、すなわち被検査物Ｗの生産品質を管理するための情報として管理者により収集される。
【００５７】
判定セクション１２ｄは、質量検出セクション１２ｂから出力された被検査物Ｗの質量の信号を受け、記録セクション１２ｃに予め記録されている質量の上限基準値および下限基準値を読み出し、被検査物Ｗの質量と上限基準値および下限基準値とを比較し上限基準値および下限基準値で決定される質量の許容範囲内に被検査物Ｗの質量が入っているか否かを判定する。判定した結果は、選別部５に出力される。さらに表示部６に出力され判定結果が表示され、記録セクション１２ｃに出力され判定結果が記録されるようになっている。なお、このような判定結果も前述のデータと同様、生産される物品、すなわち被検査物Ｗの生産品質を管理するための情報として管理者により収集される。
【００５８】
操作部１４は、図１に示すように、表示部６とともに装置本体２の搬送部３側の上端部に設けられ、表示部６の表示画面の下側部分にタッチパネルとして形成してもよい。またタッチパネルとして表示した操作部１４の左下側部分に「画面切換」の操作ボタンを表示し、この画面切換の操作ボタンをタッチすることにより表示部６の表示画面の一部に入力用のボタンからなる操作ボタンを表示してもよい。この操作ボタンから作業者ＩＤおよびパスワードなどの情報を入力することができる。
【００５９】
この操作部１４においては、被検査物Ｗの選別に必要な情報、例えば、助走コンベア３ａおよび秤量コンベア３ｂの各速度（ｍ／ｓ）および搬送方向に沿った長さ（ｍｍ）、被検査物Ｗの搬送方向に沿った長さ（ｍｍ）、被検査物Ｗに対する許容範囲の上限値Ｇａと下限値Ｇｂ、秤量コンベア３ｂの搬出端から選別部５までの距離、被検査物Ｗの搬入間隔（ｍｍ）などの選別情報を判定セクション１２ｄ、質量検出セクション１２ｂなどに設定させるよう操作ボタンなどの入力部位から入力できるようになっている。
【００６０】
本発明の実施形態に係る重量選別機１においては、各構成部分を制御する図示しないＣＰＵおよびこれらに構成要素を接続する構造で構成するようにしてもよい。例えば、重量選別機１における搬送部３、投受光部４、選別部５、表示部６、搬送制御部１１、重量選別部１２、操作部１４などの各構成要素はＣＰＵによって動作するよう構成してもよい。このＣＰＵの指令に基づいて、装置本体２内に格納された各構成要素に対応するよう設けられた制御プログラムを実行し、各構成要素を動作させるよう構成してもよい。
【００６１】
次いで、重量選別機１に対する作業者の操作および表示部６への表示について、図１０、図１１のフローチャートを参照して説明する。
【００６２】
図１０に示すように、作業者により重量選別機１の電源が投入されると（Ｓ１）、重量選別機１を操作しようとする作業者の認証操作が可能となる。そして、この作業者が表示部６のタッチパネルに表示された作業者一覧から自己の作業者名を選択するか、あるいは、図１に示す識別部８での認証カード読み取りなどの認証操作が行われると、識別部８により、認証操作をした作業者が適切な作業者ＩＤを有していることおよび適切な担当者であることが識別される（Ｓ２）。
そして、重量選別機１の操作を可能とするための、すなわちログインするためのパスワード入力画面が図３に示すように表示部６に表示される（Ｓ３）。この表示部６のタッチパネルには、パスワードを入力するための文字入力ボタンが表示され、適正なパスワードが入力されると（Ｓ４）、重量選別機１にログインした状態となり、例えば、図４（ａ）、図５（ａ）、図６（ａ）に示すように、画面の右上部分に検査作業する者の名前「山田○子」と、その下側に「山田○子」のアクセスレベルが「担当者」であることが示される担当者向け画面が表示される。そして、重量選別機１における検査作業が開始される（Ｓ５）。
【００６３】
この担当者の検査の作業中に、重量選別機１に対する保守、点検などの管理作業が、担当者よりも権限の高いアクセスレベルの管理者により行われることがある。
この場合、担当者の作業中に管理者が割り込んで操作する割り込みログイン要求がなされる（Ｓ６）。この割り込みログイン要求は、例えば、図７（ａ）に示す表示部６の表示画面右上の名前「山田○子」またはアクセスレベル「担当者」のいずれかの表示領域をタッチすることにより行われる。この割り込みログイン要求により、タッチパネルの中央部には、記憶部７に記憶されたユーザーリストに設定されている作業者名がボタン表示される（Ｓ７）。このとき、すでにログインしている担当者の作業者名を省略したり、すなわち非表示にしたりして、作業者名のボタンを押せないようにして、ログイン済みであることを認識させ、不要な作業者名を表示せずに表示領域を効率よく活用できるように構成することがより好ましい。
そして、このボタン表示の中から割り込みログインする管理者が選択されるのを待つ、管理者選択の待ち受け状態となる（Ｓ８）。
【００６４】
割り込みしようとする管理者により、例えば、ボタン表示された作業者名にタッチすると、その作業者がログイン要求者として設定される（Ｓ９）。作業者名が選択されると、表示部６のタッチパネルには、図７（ｂ）に示すように、重量選別機１にログインするためのパスワード入力画面が表示され、パスワード入力の待ち受け状態となる（Ｓ１０）。このパスワード入力画面に表示された文字入力ボタンから、適正なパスワードが入力されると（Ｓ１１）記号Ａで示すように、図１１のステップＳ１２に進み、例えば、図４（ｂ）に示すように、タッチパネルの右上部分に管理作業をする者の名前「佐藤○雄」が担当者の名前「山田○子」の横に並んで表示される。
【００６５】
また、名前「佐藤○雄」の下側に「佐藤○雄」のアクセスレベルが「管理者」であることが表示され、管理者向け画面に切り替わる。この管理者向け画面により検査作業中の担当者「山田○子」および割り込んだ管理者「佐藤○雄」の双方が同一画面に表示されるので、この表示画面から検査作業中の担当者および割り込んだ管理者が誰であるかが容易に把握される。
【００６６】
この管理者向け画面を、例えば、図５（ｂ）に示すように、画面の右上部分の名前「山田○子」の横に名前「佐藤○雄」を表示し、各下側に「担当者」および「管理者」を示す形態で表示してもよい。また、管理者向け画面を、図６（ｂ）に示すように、「担当者」「山田○子」の表示画面に上に、表示位置を少し移動して、「管理者」「佐藤○雄」の表示画面を重ねて示す形態で表示してもよい。
【００６７】
次いで、図２に示すように、管理者のログアウト操作が行われたか、すなわち、タッチパネルの終了ボタンが押されたか否かが判断される（Ｓ１３）。すなわち、重量選別機１の保守、点検などの管理の割り込み作業が終了したか否かが判断される。この終了の判断は、図２に示す操作部１４の終了ボタンが押されたか否かで判断してもよく、表示部６の表示画面に表示された管理作業の終了をタッチされたか否かで判断してもよい。
【００６８】
ステップＳ１３で、管理者によるログアウト操作がされていないと判断された場合は、ステップＳ１２で表示画面が表示されてから、管理者によるタッチパネルへの操作などの所定操作入力がなく、所定時間が経過したか否かが判断される（Ｓ１４）。ステップＳ１４で、所定時間が経過していないと判断された場合には、一定時間間隔で管理者によるログアウト操作が監視される。
【００６９】
ステップＳ１４で、所定時間が経過したと判断された場合およびステップＳ１３で、管理者によるログアウト操作がされたと判断された場合は、重量選別機１における割り込まれた元の担当者「山田○子」に表示画面が復帰する（Ｓ１５）。例えば、図４（ａ）、図５（ａ）、図６（ａ）に示すように、元の表示画面が表示される。
次いで、一定時間間隔で担当者「山田○子」の作業が終了したか否かが判断される（Ｓ１６）。作業が終了したと判断された場合には、続いて、作業内容および作業結果が装置本体２に記録される（Ｓ１７）。そして、他の作業項目の作業を行うか否かが判断される（Ｓ１８）。例えば、作業者の表示部６へのタッチにより、他の作業を行うと判断された場合には、ステップＳ１６に戻る。ステップＳ１８で、他の作業を行わないと判断された場合には、作業は終了する。
【００７０】
以上説明したように、実施形態に係る重量選別機１は構成されているので、以下のような効果が得られる。
すなわち、実施形態に係る重量選別機１は、搬送部３によって搬送される被検査物Ｗの品質データを取得し、予め設定された基準値と品質データとを比較して被検査物Ｗの品質の良否を検査するよう構成されている。そして、操作部１４と、操作部１４を操作する担当者の作業者名と担当者に加えて操作を行うことができる管理者等（作業中の担当者に対して優先して作業者を行うことができる優先作業者）の作業者名とを予め設定して記憶する記憶部７とにより構成されている。
【００７１】
実施形態に係る重量選別機１においては、予め設定された担当者の作業者名と管理者等の作業者名とを記憶部７に記憶することができるので、重量選別機１にログイン済の複数の作業者の作業者名を、例えば他の管理コンピュータ、重量選別機１の近傍に設置された管理用モニタなどの周辺機器に対して出力することが可能となるという効果が得られる。
このような複数の作業者名を周辺機器に出力できるので、生産工場や生産ラインの管理面における必要性や重要性に応じて、様々な管理形態での管理を実現することができるという効果が得られる。
【００７２】
また、記憶部７に、管理者等が担当者に優先して作業することができるように各作業者の優先順位が記憶されるので、設定された優先順位に対応する担当者、責任者、管理者といった役割や立場を示すアクセスレベルを重量選別機１の制御部、外部のコンピュータ、生産管理用モニタなどに対して、作業者名と関連付けて出力することが可能となるという効果が得られる。このような作業者名と関連付けたアクセスレベルが出力されると、管理上の必要性や重要性に応じて、さらに多様な管理形態での管理を実現することができるようになるという効果が得られる。
【００７３】
また、表示部６は、担当者の作業者名と管理者等の作業者名とを表示することができるので、重量選別機１にログイン済みの複数の作業者の作業者名を、重量選別機１を操作している作業者自身が容易に確認できるようになり、例えば、作業の引継ぎや連絡を円滑に進めることができるという効果が得られる。
【００７４】
また、表示部６は、図４（ａ）、（ｂ）、図５（ａ）、（ｂ）、図６（ａ）、（ｂ）に示すように、担当者の操作のための情報を表示する担当者向け画面と、管理者等の操作のための情報を表示する管理者向け画面とを表示することができるので、以下の効果が得られる。すなわち、アクセスレベルの異なる複数の作業者が重量選別機１にログインしていても、各作業者のアクセスレベルに応じた操作や管理を行うための情報が適切に表示されるので、作業者の誤操作を少なくすることができ、作業者の操作の煩わしさをなくすことができるという効果が得られる。特に、図６（ａ）、（ｂ）に示す表示形態においては、担当者向け画面を覆うようにして管理者向け画面が表示されるので、各作業者のアクセスレベルに応じた複数の表示画面を、サイズの小さなモニタであっても視認性を損なうことなく表示することができるという効果が得られる。
【００７５】
また、表示部６は、管理者向け画面を表示した状態で、操作部１４からの所定操作入力がなく所定時間が経過したときに、元の担当者向け画面に変えて表示するよう構成されているので、管理者等の操作終了時のログアウト忘れなどで管理者向け画面が表示された状態が長時間放置されることがなくなり、管理面での安全性が高まるという効果が得られる。
また、表示部６は、モニタ１およびモニタ２のように複数のモニタで構成することもでき、モニタ１には担当者向け画面を、モニタ２には管理者向け画面を表示することができる。その結果、複数の作業者のアクセスレベルに応じた表示画面を適切な操作位置に複数配置する場合にも、各操作位置において複数の作業者がログインしている状態を表示することができるという効果が得られる。
【００７６】
実施形態に係る重量選別機１においては、担当者の作業中に割り込んで作業を行おうとする他の担当者が、管理者等であるか否かを識別する識別部８を備えている。そして、表示部６は、識別部８により他の担当者が管理者等であることが識別されたとき、管理者等の作業者名を作業中の担当者の作業者名と同時に表示する一方、識別部８により他の担当者が管理者等でないことが識別されたとき、作業中の担当者の作業者名に代えて他の担当者の作業者名を表示するよう構成されている。
【００７７】
その結果、担当者の作業中に割り込もうとする他の担当者が、管理者等であるか否かが識別されるので、担当者の作業中に他の担当者が作業を行う割り込み作業の際に手間が掛らず、作業を円滑に進めることができる。すなわち、識別部８により割り込もうとする他の担当者が管理者等であることが識別されたときは、管理者等の作業者名が作業中の担当者の作業者名と同時に表示されるので、割り込もうとする担当者自身が管理者等であることを認識することができる。また、割り込もうとする他の担当者が管理者等でないことが識別されたときは、作業中の担当者の作業者名に代えて割り込もうとする他の担当者の作業者名が表示されるので、割り込もうとする担当者自身が管理者等ではなく、作業中の担当者から割り込もうとする他の担当者に交代したことを認識することができるという効果が得られる。
【産業上の利用可能性】
【００７８】
以上説明したように、本発明によれば、作業者の作業中に他の作業者が作業を行う割り込み作業の際に手間が掛らず、作業を円滑に進めることができるだけでなく、生産ラインの一部として管理上有用な作業者情報を記憶し、出力することができる物品検査装置を提供することができ、広く物品の品質を検査する装置、例えば、各種の重量選別機、Ｘ線異物検出装置、金属検出装置などの品質を維持する検査装置に有用である。
【符号の説明】
【００７９】
１  重量選別機（物品検査装置）
２  装置本体
３  搬送部（搬送手段）
４  投受光部
５  選別部
６  表示部（表示手段）
７  記憶部（記憶手段）
８  識別部（作業者識別手段）
９  電源部
１１  搬送制御部
１２  重量選別部
１４  操作部（操作手段）
１６  収納筐体
【図１】
2014142772.tif 000003
【図２】
2014142772.tif 000004
【図１０】
2014142772.tif 000005
【図１１】
2014142772.tif 000006
【図３】
2014142772.tif 000007
【図４】
2014142772.tif 000008
【図５】
2014142772.tif 000009
【図６】
2014142772.tif 000010
【図７】
2014142772.tif 000011
【図８】
2014142772.tif 000012
【図９】
2014142772.tif 000013